(57)【要約】【課題】ユーザにとって適切なコンテンツ情報を表示することができる情報処理端末および情報システムを提供する。【解決手段】実施形態の情報処理端末は、表示中のコンテンツに関連するコンテンツ識別子を有するコンテンツ再生機との通信を行う第１の通信部と、コンテンツ情報を有するコンテンツ情報サーバとの通信を行う第２の通信部と、前記第１の通信部で通信を行う前記コンテンツ再生機から、表示中のコンテンツのコンテンツ識別子を取得するコンテンツ識別子取得部と、前記コンテンツ識別子取得部で取得した前記コンテンツ識別子に対応するコンテンツ情報を、前記第２の通信部で通信を行う前記コンテンツ情報サーバから取得するコンテンツ情報取得部と、前記コンテンツ情報取得部で取得した前記コンテンツ情報を表示する表示部と、を有することを特徴とする。【選択図】  図２
2012015980.tif 000002
【特許請求の範囲】
【請求項１】
表示中のコンテンツに関連するコンテンツ識別子を有するコンテンツ再生機との通信を行う第１の通信部と、
コンテンツ情報を有するコンテンツ情報サーバとの通信を行う第２の通信部と、
前記第１の通信部で通信を行う前記コンテンツ再生機から、表示中のコンテンツのコンテンツ識別子を取得するコンテンツ識別子取得部と、
前記コンテンツ識別子取得部で取得した前記コンテンツ識別子に対応するコンテンツ情報を、前記第２の通信部で通信を行う前記コンテンツ情報サーバから取得するコンテンツ情報取得部と、
前記コンテンツ情報取得部で取得した前記コンテンツ情報を表示する表示部と、
を有することを特徴とする情報処理端末。
【請求項２】
前記コンテンツは、少なくとも放送波から受信する任意の番組、またはメディア再生機器で再生される画像音声データである、
ことを特徴とする請求項１記載の情報処理端末。
【請求項３】
前記コンテンツ情報取得部で取得した前記コンテンツ情報を所定の条件に基づき選択、修正、または前記コンテンツ情報に追加を行うコンテンツ情報選択部を更に有する
ことを特徴とする請求項１記載の情報処理端末。
【請求項４】
前記コンテンツ情報選択部は、前記コンテンツ情報取得部で取得した前記コンテンツ情報を解析し、修正する部分を選択するよう構成される、
ことを特徴とする請求項３記載の情報処理端末。
【請求項５】
前記コンテンツ情報選択部は、前記コンテンツ情報取得部で取得した前記コンテンツ情報に含まれるコンテンツ情報を修正する部分を示す情報を取得し、
取得した前記コンテンツ情報を修正する部分を示す情報に基づいて、コンテンツ部分を修正する部分を選択する、
ことを特徴とする請求項３記載の情報処理端末。
【請求項６】
ユーザの行動履歴を格納するユーザ情報記憶部を更に有し、
前記コンテンツ情報選択部は、前記ユーザ情報記憶部に格納された前記ユーザの行動履歴に基づき、前記コンテンツ情報を選択、修正、または追加するよう構成される、
ことを特徴とする請求項１記載の情報処理端末。
【請求項７】
位置情報を取得する位置情報取得部をさらに有し、
前記コンテンツ情報選択部は、前記位置情報取得部で取得した位置情報に関連したコンテンツ情報を選択、修正、または追加するよう構成される、
ことを特徴とする請求項１記載の情報処理端末。
【請求項８】
前記ユーザ情報記憶部に格納される前記ユーザの行動履歴は、少なくとも前記位置情報取得部で取得した位置情報の履歴、閲覧したＷｅｂページの履歴、操作履歴、閲覧頻度が高いＷｅｂページのいずれかである、
ことを特徴とする請求項７記載の情報処理端末。
【請求項９】
前記コンテンツ情報取得部で取得した前記コンテンツ情報を格納するコンテンツ情報記憶部をさらに有することを特徴とする請求項１記載の情報処理端末。
【請求項１０】
前記コンテンツ情報選択部は、ユーザからの操作または前記位置情報取得部で取得した現在の位置情報に関連したコンテンツ情報を前記コンテンツ情報記憶部から選択、修正、または追加し、
前記表示部は、選択された当該コンテンツ情報を表示するよう構成される、
ことを特徴とする請求項９記載の情報処理端末。
【請求項１１】
前記第１の通信部が、前記コンテンツ再生機でＣＭを検出し受信したことを受信すると、前記表示部は、前記コンテンツ情報記憶部に格納された前記コンテンツ情報を、前記コンテンツ再生機がＣＭを表示している間に表示するよう構成される、
ことを特徴とする請求項９記載の情報処理端末。
【請求項１２】
ＣＭのコンテンツ識別子と、対応するＣＭ音声の特徴量とを格納するＣＭデータベースを更に有し、
前記第１の通信部が前記コンテンツ再生機からＣＭ音声の特徴量を受信すると、前記コンテンツ識別子取得部は、前記ＣＭデータベースを参照して対応するＣＭのコンテンツ識別子を決定し、
前記コンテンツ情報取得部は、前記コンテンツ情報サーバから当該ＣＭのコンテンツ識別子に対応するＣＭのコンテンツ情報を取得する、
ことを特徴とする請求項１記載の情報処理端末。
【請求項１３】
前記第１の通信部が、前記コンテンツ再生機からのＣＭ音声の特徴量を受信し、前記第２の通信部が前記ＣＭ音声の特徴量を前記コンテンツ情報サーバに送信すると、
前記コンテンツ情報取得部は、ＣＭデータベースを有する前記コンテンツ情報サーバから当該ＣＭ音声の特徴量に対応するＣＭのコンテンツ情報を取得する、
ことを特徴とする請求項１２記載の情報処理端末。
【請求項１４】
前記コンテンツ情報取得部は、前記コンテンツ情報サーバからあらかじめＣＭのコンテンツ情報を取得して前記コンテンツ情報記憶部に格納し、
前記第１の通信部が前記コンテンツ再生機からＣＭ音声の特徴量を受信すると、前記コンテンツ識別子取得部は、前記ＣＭデータベースを参照して対応するＣＭのコンテンツ識別子を決定し、
前記コンテンツ情報選択部は、前記コンテンツ情報記憶部に格納される、当該ＣＭのコンテンツ識別子に対応するＣＭのコンテンツ情報を選択する、
ことを特徴とする請求項１２記載の情報処理端末。
【請求項１５】
前記コンテンツ識別子取得部は、前記コンテンツ再生機で表示するコンテンツが他のコンテンツに切り替えられたとき、切り替えられたコンテンツに対応するコンテンツ識別子を取得するよう構成される、
ことを特徴とする請求項１記載の情報処理端末。
【請求項１６】
前記コンテンツ情報取得部は、あらかじめ前記コンテンツ情報サーバからコンテンツ情報を取得し、
前記コンテンツ再生機が表示中のコンテンツの表示時間を移動した場合、前記表示部は、取得した前記コンテンツ情報のうち、移動先のコンテンツ情報を表示するよう構成される、
ことを特徴とする請求項１記載の情報処理端末。
【請求項１７】
前記第１の通信部は、ユーザの顔を認識して端末を特定する端末特定部を有する前記コンテンツ再生機からの接続要求により通信を行う、
ことを特徴とする請求項１記載の情報処理端末。
【請求項１８】
前記第２の通信部は、複数のユーザの行動履歴をユーザ毎に格納する外部のユーザ情報データベースとの通信を行うことを特徴とする請求項１記載の情報処理端末。
【請求項１９】
前記第２の通信部は、コンテンツ再生機で表示したコンテンツの視聴履歴を格納する外部の視聴履歴サーバとの通信を行うことを特徴とする請求項１記載の情報処理端末。
【請求項２０】
コンテンツに関連するコンテンツ情報を有するコンテンツ情報サーバとの通信を行う第２の通信部と、
放送波またはネットワークを介して任意のコンテンツのコンテンツ識別子を取得するコンテンツ識別子取得部と、
前記コンテンツ識別子取得部で取得した前記コンテンツ識別子に対応するコンテンツ情報を、前記第２の通信部で通信を行う前記コンテンツ情報サーバから取得するコンテンツ情報取得部と、
前記コンテンツ情報取得部で取得した前記コンテンツ情報を表示する表示部と、
を有することを特徴とする情報処理端末。
【請求項２１】
端末と、前記端末と通信を行うコンテンツ再生機と、前記端末とネットワーク通信を行うコンテンツ情報サーバとを有する情報システムにおいて、
前記コンテンツ再生機は、表示中のコンテンツに関連するコンテンツ情報に対応したコンテンツ識別子を有し、
前記コンテンツ情報サーバは、コンテンツに関連するコンテンツ情報を有し、
前記端末は、
前記コンテンツ再生機と通信を行う第１の通信部と、
前記コンテンツ情報サーバとの通信を行う第２の通信部と、
前記コンテンツ再生機から、表示中のコンテンツのコンテンツ識別子を取得するコンテンツ識別子取得部と、
前記コンテンツ識別子取得部で取得した前記コンテンツ識別子に対応するコンテンツ情報を、前記第２の通信部で通信を行う前記コンテンツ情報サーバから取得するコンテンツ情報取得部と、
前記コンテンツ情報取得部で取得した前記コンテンツ情報を表示する表示部とを有する、
ことを特徴とする情報システム。
【請求項２２】
前記端末は、前記コンテンツ情報取得部で取得した前記コンテンツ情報を所定の条件に基づき選択、修正、または前記コンテンツ情報に追加を行うコンテンツ情報選択部を更に有する、
ことを特徴とする請求項２１記載の情報システム。
【請求項２３】
前記端末は、ユーザの行動履歴を格納するユーザ情報記憶部を更に有し、
前記コンテンツ情報選択部は、前記ユーザ情報記憶部に格納された前記ユーザの行動履歴に基づき、前記コンテンツ情報を選択、修正、または追加するよう構成される、
ことを特徴とする請求項２１記載の情報システム。
【請求項２４】
前記コンテンツ再生機は、
ユーザの顔を認識する顔認識部と、
前記顔認識部で認識したユーザに対応する端末を特定する端末特定部と、
前記端末特定部で特定した前記端末との通信を行う第１の通信部と、
を有することを特徴とする請求項２１記載の情報システム。
【請求項２５】
前記コンテンツ再生機は、表示中のコンテンツの任意の時間におけるフレームについて画像を認識する画像認識部をさらに有し、
前記画像認識部は、ＵＲＬまたは検索キーワードを認識する、
ことを特徴とする請求項２４記載の情報システム。
【請求項２６】
複数のユーザの行動履歴をユーザ毎に格納するユーザ情報データベースをさらに有する、
ことを特徴とする請求項２１記載の情報システム。
【請求項２７】
前記コンテンツ再生機で表示したコンテンツの視聴履歴を格納する視聴履歴サーバを更に有する、
ことを特徴とする請求項２１記載の情報システム。
【発明の詳細な説明】
【技術分野】
【０００１】
本発明の実施形態は、デジタルテレビ放送やインターネット上のマルチメディアコンテンツ等におけるコンテンツ情報を表示する情報処理端末および情報システムに関する。
【背景技術】
【０００２】
近年、デジタルテレビやパーソナルコンピュータ等のコンテンツ再生機では、ネットワークやデジタルテレビ放送を介して、外部のサーバからコンテンツ情報を取得し表示する技術が知られている。特に、地上波デジタルテレビ放送等といったデジタルテレビ放送においては、放送中にその番組と連動したコンテンツ情報が提供され、番組を受信するテレビにこのコンテンツ情報を表示している。このコンテンツ情報とは、例えば番組の放送時間、番組内容や番組内容に関連した情報等である。
【先行技術文献】
【特許文献】
【０００３】
【特許文献１】特開２００４−１５３６７３号公報
【発明の概要】
【発明が解決しようとする課題】
【０００４】
しかしながら、従来デジタル放送における番組のコンテンツ情報は、番組を受信するテレビに、番組の受信と同時に画面表示されるものであり、番組開始前、番組終了後、またはユーザが番組を視聴していないときには、その番組のコンテンツ情報を見ることはできなかった。また、番組のコンテンツ情報のみを、携帯型パーソナルコンピュータや携帯電話機といった、番組を受信しない他の携帯端末等に表示したり格納したりできないため、例えば外出時に携帯電話機からコンテンツ情報を得るといった事はできなかった。
【０００５】
また、表示されるコンテンツ情報には、ユーザにとって不必要な情報も含まれているため、コンテンツ情報が多く表示されている場合に、必要な情報をユーザ側で取捨選択することが必要であり、煩雑であった。そのため、ユーザにとって必要なコンテンツ情報のみを自動で選択されて表示されることが望まれている。
さらに、表示されるコンテンツ情報は、一律的でユーザの嗜好を反映していないという課題もあった。そのためユーザの嗜好を反映したコンテンツ情報の表示も同様に望まれている。
【０００６】
本実施形態はこのような点を考慮してなされたもので、ユーザにとって適切なコンテンツ情報を表示することができる情報処理端末および情報システムを提供することを目的とする。
【課題を解決するための手段】
【０００７】
実施形態の情報処理端末は、表示中のコンテンツに関連するコンテンツ識別子を有するコンテンツ再生機との通信を行う第１の通信部と、コンテンツ情報を有するコンテンツ情報サーバとの通信を行う第２の通信部と、前記第１の通信部で通信を行う前記コンテンツ再生機から、表示中のコンテンツのコンテンツ識別子を取得するコンテンツ識別子取得部と、前記コンテンツ識別子取得部で取得した前記コンテンツ識別子に対応するコンテンツ情報を、前記第２の通信部で通信を行う前記コンテンツ情報サーバから取得するコンテンツ情報取得部と、前記コンテンツ情報取得部で取得した前記コンテンツ情報を表示する表示部と、を有することを特徴とする。
【０００８】
また、実施形態の情報システムは、端末と、前記端末と通信を行うコンテンツ再生機と、前記端末とネットワーク通信を行うコンテンツ情報サーバとを有する情報システムにおいて、前記コンテンツ再生機は、表示中のコンテンツに関連するコンテンツ情報に対応したコンテンツ識別子を有し、前記コンテンツ情報サーバは、コンテンツに関連するコンテンツ情報を有し、前記端末は、前記コンテンツ再生機と通信を行う第１の通信部と、前記コンテンツ情報サーバとの通信を行う第２の通信部と、前記コンテンツ再生機から、表示中のコンテンツのコンテンツ識別子を取得するコンテンツ識別子取得部と、前記コンテンツ識別子取得部で取得した前記コンテンツ識別子に対応するコンテンツ情報を、前記第２の通信部で通信を行う前記コンテンツ情報サーバから取得するコンテンツ情報取得部と、前記コンテンツ情報取得部で取得した前記コンテンツ情報を表示する表示部とを有する、ことを特徴とする。
【図面の簡単な説明】
【０００９】
【図１】本発明の一実施形態に係る端末であって、端末、コンテンツ再生機、ルータ、コンテンツ情報サーバのネットワークシステムを示す構成図。
【図２】端末の概略構成を示すブロック図。
【図３】コンテンツ再生機の概略構成を示すブロック図。
【図４】端末、コンテンツ再生機、コンテンツ情報サーバの基本的な動作例を示すフローチャート。
【図５】コンテンツ再生機に表示するコンテンツが切り替えられた場合の、端末、コンテンツ再生機、コンテンツ情報サーバの動作例を示すフローチャート。
【図６】トリックプレイが行われた場合の、端末、コンテンツ再生機、コンテンツ情報サーバの動作例を示すフローチャート。
【図７】ＣＭ中に番組のコンテンツ情報を表示する場合の、端末、コンテンツ再生機、コンテンツ情報サーバの動作例を示すフローチャート。
【図８】あらかじめＣＭのコンテンツ情報を取得した場合の、端末、コンテンツ再生機、コンテンツ情報サーバの動作例を示すフローチャート。
【図９】都度ＣＭのコンテンツ情報を取得する場合の、端末、コンテンツ再生機、コンテンツ情報サーバの動作例を示すフローチャート。
【図１０】ＵＲＬまたは検索キーワードを検出する場合の、端末、コンテンツ再生機、コンテンツ情報サーバの動作例を示すフローチャート。
【図１１】端末、コンテンツ再生機、ルータ、コンテンツ情報サーバ、視聴履歴サーバのネットワークシステムを示す構成図。
【発明を実施するための形態】
【００１０】
以下、本発明の実施形態を添付図面に基づいて説明する。
【００１１】
図１は、本発明の一実施形態における端末１であって、端末１、コンテンツ再生機２、ルータ３、コンテンツ情報サーバ４のネットワークシステム１００（情報システム）を示す構成図である。端末１は、例えば無線通信機能を備えた携帯型パーソナルコンピュータであり、コンテンツ再生機２と無線通信接続（例えば無線ＬＡＮ接続）を行う。また、ルータ３とコンテンツ情報サーバ４は、外部ネットワークＮを介して相互に通信可能に接続されている。端末１は、ルータ３と無線通信により接続することで、外部ネットワークＮを介して他の装置との通信が可能である。
【００１２】
図２は、端末１の概略構成を示すブロック図である。端末１は、制御部１０、電源回路部１１、表示部１２、操作部１３、音声制御部１４、無線通信部１５、記憶部１６、情報記憶媒体１７、時計部１８、ユーザ情報データベース２１、ＣＭデータベース２２、コンテンツ情報記憶部２３がバスによって相互に通信可能に接続されて構成されている。
【００１３】
電源回路部１１は、電力供給源（バッテリ等）を備え、操作部１３の操作キーを介した入力に基づいて端末１の電源のＯＮ／ＯＦＦ状態を切り替え、電源がＯＮ状態の場合に電力供給源から各部に対して電力を供給して、端末１を動作可能にする。
【００１４】
表示部１２はモニタ等であり、制御部１０の制御に基づいて文書データや画像データ、コンテンツ情報等を表示する。操作部１３はタッチパネルや操作キー等の入力装置である。
【００１５】
音声制御部１４は、制御部１０の制御に基づいて、マイクロフォン１４２で集音されたアナログ音声信号をデジタル音声信号に変換する。また音声制御部１４は、デジタル音声信号を取得すると、制御部１０の制御に基づいて、このデジタル音声信号をアナログ音声信号に変換し、スピーカ１４１から音声として出力する。
【００１６】
無線通信部１５は、無線ＬＡＮ通信部１５１、ＧＰＳ(Global Positioning System)通信部１５２を含む。各通信部は、制御部１０の制御に基づいて、ルータ３からアンテナ１５ａを介して受信した受信信号を処理してデータを復号する。このデータは、制御部１０の指示により、音声制御部１４に伝送されてスピーカ１４１から出力されたり、表示部１２に伝送されて表示されたり、または記憶部１６に記録されたりする。また各通信部は、制御部１０の制御に基づいて、音声制御部１４にてデジタル音声信号に変換した音声信号や操作部１３で入力された文字列や記憶部１６に記憶されたデータを取得すると、これらのデータの処理を行い、ルータ３に対してアンテナ１５ａを介して送信する。
【００１７】
無線ＬＡＮ通信部１５１は、例えばWi-Fi（登録商標）に準拠しており、コンテンツ再生機２との通信を行う。また、他の無線ＬＡＮ通信搭載端末とアドホック通信を行ったり、端末１近辺のルータ３（アクセスポイント）を経由して他の無線ＬＡＮ通信搭載端末との通信を行ったりする。
【００１８】
ＧＰＳ通信部１５２は、衛星からＧＰＳ信号を受信し、後述する位置情報取得部１０３で位置情報を取得する。
【００１９】
なお、無線ＬＡＮ通信部１５１、ＧＰＳ通信部１５２は、それぞれ異なるアンテナを使用して通信を行うが、ここでは図示を省略している。
【００２０】
記憶部１６は、制御部１０や無線通信部１５などのワーク領域となるもので、ＲＡＭ（Ｒａｎｄｏｍ  Ａｃｃｅｓｓ  Ｍｅｍｏｒｙ）などにより実現できる。
【００２１】
情報記憶媒体１７（コンピュータにより読み取り可能な媒体）は、プログラムやデータなどを格納するものであり、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体１７には、本実施形態の各部としてコンピュータを機能させるためのプログラム（各部の処理をコンピュータに実行させるためのプログラム）、複数のアプリケーション等が記憶される。
【００２２】
時計部１８は、時刻を計時する。なお時計部１８は、図示しないＧＰＳ機能等を用いて時刻情報を取得する。
【００２３】
ユーザ情報データベース２１は、端末１を使用するユーザの氏名、年齢、性別等の個人情報や、端末１の利用履歴情報、端末１がコンテンツ再生機２から受信したコンテンツ識別子に対応するコンテンツの視聴履歴情報を格納する。利用履歴情報の例として、後述する位置情報取得部１０３で取得した位置情報の履歴、Ｗｅｂページの閲覧履歴、端末１を用いてインターネットショッピングを行った際の商品購入履歴、閲覧頻度が高いＷｅｂページ等が挙げられる。
【００２４】
ＣＭデータベース２２は、コンテンツ再生機２から送られるＣＭ音声の特徴量と対応するＣＭのコンテンツ識別子を格納する。なお前述したようにコンテンツ情報サーバ４に、このＣＭデータベースと同様のデータベースが含まれてもよい。
【００２５】
コンテンツ情報記憶部２３は、コンテンツ情報サーバ４から取得したコンテンツ情報を格納する。
【００２６】
制御部１０は、端末１の総括的な制御を行うとともに、その他の様々な演算処理や制御処理などを行う演算装置である。制御部１０の機能は各種プロセッサ（ＣＰＵ、ＤＳＰ等）、ＡＳＩＣ（ゲートアレイ等）などのハードウェアや、プログラムにより実現できる。制御部１０は、情報記憶媒体１７に格納されるプログラム（データ）に基づいて本実施形態の種々の処理を行う。
【００２７】
制御部１０は、コンテンツ識別子取得部１０１、コンテンツ情報取得部１０２、位置情報取得部１０３、コンテンツ情報選択部１０４を含む。コンテンツ識別子取得部１０１は、コンテンツ再生機２が表示している番組等のコンテンツのコンテンツ識別子を取得する。コンテンツ情報取得部１０２は、コンテンツ識別子取得部１０１で取得したコンテンツ識別子に対応するコンテンツ情報をコンテンツ情報サーバ４より取得する。位置情報取得部１０３は、ＧＰＳ通信部１５２が受信したＧＰＳ信号に基づき、位置情報を取得する。コンテンツ情報選択部１０４は、コンテンツ情報取得部１０２で取得したコンテンツ情報のうち、表示部１２に表示するコンテンツ情報を選択する。コンテンツ情報選択の詳細については後述する。
【００２８】
コンテンツ再生機２は例えばデジタルテレビ等であり、テレビ放送波やインターネットから番組および番組に対応するコンテンツ識別子を受信する。またコンテンツ再生機２は、図示しないＤＶＤ（Digital Versatile Disc）プレイヤー等のメディア再生機器と接続して、コンテンツを再生表示し、コンテンツ識別子を取得する。図３はコンテンツ再生機２の概略構成を示すブロック図である。コンテンツ再生機２は、制御部２１０、電源回路部２１１、表示部２１２、操作部２１３、音声制御部２１４、無線通信部２１５、記憶部２１６、情報記憶媒体２１７、テレビ受信部２１９、端末データベース２２１がバスによって相互に通信可能に接続されて構成されている。電源回路部２１１、操作部２１３、記憶部２１６、情報記憶媒体２１７は、端末１と構成がほぼ同様であるので、説明を省略する。
【００２９】
テレビ受信部２１９は、テレビアンテナ２１９ａを備えていて、放送局からの地上波デジタルテレビ放送等のテレビ放送波をテレビアンテナ２１９ａを介して受信する。そしてテレビ受信部２１９は、これらの受信したテレビ放送波の受信データを音声信号と画像信号に分離して、画像信号を表示部２１２に表示するとともに音声信号を音声制御部２１４によりスピーカ２４１を介して出力するテレビ視聴処理を行う。
【００３０】
表示部２１２はディスプレイ等であり、テレビ受信部２１９から取得した画像信号を表示する。音声制御部２１４は、テレビ受信部２１９からデジタル音声信号を取得すると、制御部２１０の制御に基づいて、このデジタル音声信号をアナログ音声信号に変換し、スピーカ２４１から音声として出力する。
【００３１】
端末データベース２２１は、コンテンツ再生機２を視聴するユーザの情報と、対応する端末のMACアドレス等の一意性のある端末識別子とを格納する。
【００３２】
制御部２１０は、顔認識部２０１、端末特定部２０２、画像認識部２０３、ＵＲＬ／検索キーワード取得部２０４を含む。顔認識部２０１は、コンテンツ再生機２を視聴するユーザの顔を認識する。端末特定部２０２、顔認識部２０１で認識したユーザの顔から、端末データベース２２１を参照して端末を特定する。画像認識部２０３は、表示部２１２に表示されるコンテンツの画像を認識しテキストデータを判別する等の処理を行う。ＵＲＬ／検索キーワード取得部２０４は、画像認識部２０３で画像認識して得たテキストデータのうち、ＵＲＬまたは検索キーワードを取得する。
【００３３】
無線通信部２１５は、無線ＬＡＮ通信部２５１を含む。無線ＬＡＮ通信部２５１は、例えばWi-Fi（登録商標）に準拠しており、アンテナ２１５ａを介して端末１との通信を行う。
【００３４】
コンテンツ情報サーバ４は、例えば番組、ＣＭ（Commercial Message）、ＤＶＤ等のメディアのコンテンツやインターネット上のコンテンツに対応する、コンテンツ識別子に対応したコンテンツ情報を格納する。またコンテンツ情報サーバ４は、ＣＭ音声の特徴量と対応するＣＭのコンテンツ識別子とをＣＭデータベースとして格納する。
【００３５】
ここで、コンテンツ情報サーバ４に格納されるコンテンツ情報とは、例えば、テキストのみにより表現されたコンテンツ共通の情報や、コンテンツ内での出力タイミングを指定された再生と連動する情報や、XMLやHTMLにより記述された映像や動画を含むマルチメディア情報、Javascript（Java（登録商標））等のスクリプト言語により実現される動的情報等がある。
【００３６】
＜基本的な動作例＞
次に、上記構成の端末１、コンテンツ再生機２、コンテンツ情報サーバ４の基本的な動作例について、図４を参照して説明する。
【００３７】
ユーザによりコンテンツ再生機２の電源が入れられ、コンテンツ再生機２が放送波を受信し番組のコンテンツを表示している（ステップＳ１０１）。コンテンツ再生機２は、端末１との無線接続を行う（ステップＳ１０３）。
【００３８】
ステップＳ１０３の無線接続は、端末１の無線ＬＡＮ通信部１５１からコンテンツ再生機２に接続要求を行って無線接続する場合と、コンテンツ再生機２が端末１を特定して接続を行う場合の２通りがある。このうち、コンテンツ再生機２が端末１を特定する場合、コンテンツ再生機２の顔認識部２０１がユーザの顔を認識し、端末特定部２０２は顔認識部２０１で認識したユーザの顔より、端末データベース２２１を参照して該当する端末を特定する。そして、無線通信部２１５は、端末特定部２０２で特定した端末に接続要求を行って無線接続を行う。
【００３９】
ステップＳ１０３で端末１とコンテンツ再生機２とが無線接続を行うと、端末１のコンテンツ識別子取得部１０１はコンテンツ再生機２に、現在表示している番組のコンテンツ識別子を要求する（ステップＳ１０５）。コンテンツ再生機２は、当該コンテンツ識別子を端末１に送信する（ステップＳ１０７）。コンテンツ識別子取得部１０１は送信されたコンテンツ識別子を取得する。
【００４０】
次に端末１のコンテンツ情報取得部１０２は、コンテンツ情報サーバ４に、ステップＳ１０７で取得したコンテンツ識別子に対応するコンテンツ情報を要求する（ステップＳ１０９）。コンテンツ情報サーバ４は、当該コンテンツ情報を端末１に送信する（ステップＳ１１１）。コンテンツ情報取得部１０２は送信されたコンテンツ情報を取得する。次に端末１の表示部１２は、コンテンツ情報取得部１０２で取得したコンテンツ情報を表示する（ステップＳ１１３）。なお、コンテンツ情報の表示に関しての詳細は後述する。
【００４１】
＜コンテンツが切り替わった場合＞
コンテンツ再生機２に表示するコンテンツが切り替えられた場合の動作について、図５を参照して説明する。
【００４２】
端末１とコンテンツ再生機２が無線接続を行っており（ステップＳ２０１）、コンテンツ再生機２はコンテンツを表示している（ステップＳ２０２）。端末１は当該コンテンツ情報をコンテンツ情報サーバ４から取得して表示している（ステップＳ２０３）。ユーザの操作によりコンテンツ再生機２のチャンネルが切り替えられ、表示中のコンテンツが切り替えられた場合（ステップＳ２０５で「Ｙｅｓ」）、コンテンツ再生機２は、切替先のコンテンツ識別子を端末１に送信する（ステップＳ２０７）。コンテンツ識別子取得部１０１は、ステップＳ２０７で送信されたコンテンツ識別子を取得し、コンテンツ情報サーバ４に、切替先の対応するコンテンツ情報を要求する（ステップＳ２０９）。コンテンツ情報サーバ４は、当該切替先のコンテンツ情報を端末１に送信する（ステップＳ２１１）。コンテンツ情報取得部１０２は送信された切替先のコンテンツ情報を取得する。次に端末１の表示部１２は、コンテンツ情報取得部１０２で取得した切替先のコンテンツ情報を表示する（ステップＳ２１３）。なお、コンテンツ情報の表示に関しての詳細は後述する。
【００４３】
＜トリックプレイが行われた場合＞
コンテンツ再生機２がＤＶＤプレイヤー等のメディア再生機器からのコンテンツを再生表示しており、早送りや巻き戻しといったトリックプレイが行われた場合の動作について、図６を参照して説明する。
【００４４】
端末１とコンテンツ再生機２が無線接続を行っており（ステップＳ３０１）、コンテンツ再生機２はメディア再生機器からのコンテンツを再生表示している（ステップＳ３０２）。端末１は当該コンテンツ情報をコンテンツ情報サーバ４からあらかじめ取得して表示している（ステップＳ３０３）。メディア再生機器からの要求で、早送りや巻き戻し等といったトリックプレイが行われ、再生表示中のコンテンツの再生時間が移動した場合（ステップＳ３０５で「Ｙｅｓ」）、コンテンツ再生機２は、移動した先のコンテンツの再生時間情報を端末１に通知する（ステップＳ３０７）。
【００４５】
次に端末１の表示部１２は、ステップＳ３０７で通知された再生時間情報に基づき、移動した先のコンテンツ情報を表示する（ステップＳ３１３）。このときのコンテンツ情報は時間毎に区切られているため、再生時間情報の通知により、対応するコンテンツ情報を表示することが出来る。なお、コンテンツ情報の表示に関しての詳細は後述する。
【００４６】
＜ＣＭの検出１＞
コンテンツ再生機２がテレビ放送波を受信し、ＣＭを検出したときには、大きく分けてＣＭ中に番組のコンテンツ情報を表示する場合と、ＣＭのコンテンツ情報を表示する場合の二通りの動作が考えられる。
まず、ＣＭ中に番組のコンテンツ情報を表示する動作について、図７を参照して説明する。
【００４７】
端末１とコンテンツ再生機２が無線接続を行っており（ステップＳ７０１）、コンテンツ再生機２は番組のコンテンツを表示している（ステップＳ７０２）。端末１は、コンテンツ再生機２から送信された、現在表示中のコンテンツのコンテンツ識別子を取得している。端末１のコンテンツ情報取得部１０２は、コンテンツ情報サーバ４に、取得したコンテンツ識別子に対応するコンテンツ情報を要求する（ステップＳ７０３）。コンテンツ情報サーバ４は、当該コンテンツ情報を端末１に送信する（ステップＳ７０５）。コンテンツ情報取得部１０２は送信されたコンテンツ情報を取得する。取得したコンテンツ情報は、コンテンツ情報記憶部２３に格納される（ステップＳ７０７）。
【００４８】
次に、コンテンツ再生機２がＣＭを検出すると（ステップＳ７０９で「Ｙｅｓ」）、コンテンツ再生機２は端末１に、ＣＭの検出を通知し（ステップＳ７１１）、ＣＭを表示する（ステップＳ７１０）。端末１のコンテンツ情報選択部１０４は、ステップＳ７１１でのＣＭの検出通知に基づき、ステップＳ７０７で格納していたコンテンツ情報をコンテンツ情報記憶部２３から選択し、表示部１２に表示する（ステップＳ７１３）。なお、コンテンツ情報の表示に関しての詳細は後述する。
【００４９】
コンテンツ再生機２が再び番組のコンテンツを検出すると（ステップＳ７１５で「Ｙｅｓ」）、コンテンツ再生機２は端末１に番組の検出を通知し（ステップＳ７１７）、番組コンテンツを表示する（ステップＳ７１６）。端末１の制御部１０は、ステップＳ７１３で表示部１２に表示されているコンテンツ情報の表示を停止する（ステップＳ７１９）。
【００５０】
＜ＣＭの検出２−１＞
次に、コンテンツ再生機２がＣＭを検出した場合、ＣＭのコンテンツ情報を表示する動作について説明する。まず、あらかじめコンテンツ情報サーバ４からＣＭのコンテンツ情報を取得した場合の動作について、図８を参照して説明する。
【００５１】
端末１のコンテンツ情報取得部１０２は、コンテンツ再生機２がコンテンツを再生する前に、コンテンツ情報サーバ４にＣＭのコンテンツ情報を要求する（ステップＳ４０１）。要求するＣＭのコンテンツ情報は、任意の番組中に放送される少なくとも１つのＣＭのコンテンツ情報でもよいし、任意の番組中に放送される少なくとも１つのＣＭのコンテンツ情報とその放送順でもよい。あるいは、要求した日の全日にわたって放送されるＣＭのコンテンツ情報でもよい。コンテンツ情報サーバ４は、当該ＣＭのコンテンツ情報を端末１に送信する（ステップＳ４０３）。コンテンツ情報取得部１０２は送信されたＣＭのコンテンツ情報を取得する。
【００５２】
次に、コンテンツ再生機２はテレビ放送波を受信する。以降、番組のコンテンツ情報を端末１に表示する動作までは、図４のステップＳ１０１〜Ｓ１１３の動作と同一であるので、説明を省略する。
【００５３】
コンテンツ再生機２が番組コンテンツを表示し、端末１がその番組コンテンツ情報を表示しているとき、コンテンツ再生機２がＣＭを検出すると（ステップＳ４０５で「Ｙｅｓ」）、コンテンツ再生機２はＣＭ音声の特徴量を端末１に送信する（ステップＳ４０７）。端末１のコンテンツ識別子取得部１０１は、送信されたＣＭ音声の特徴量から、ＣＭデータベース２２を参照して対応するＣＭのコンテンツ識別子を決定する（ステップＳ４０９）。そしてコンテンツ情報取得部１０２は、ステップＳ４０３でコンテンツ情報サーバ４から取得したＣＭのコンテンツ情報より、ステップＳ４０９で決定したＣＭのコンテンツ識別子に対応するＣＭのコンテンツ情報を決定し（ステップＳ４１１）、表示部１２に表示する（ステップＳ４１３）。なお、ＣＭのコンテンツ情報の表示に関しての詳細は後述する。
【００５４】
＜ＣＭの検出２−２＞
別の例として、コンテンツ再生機２がＣＭを検出した場合にＣＭのコンテンツ情報を表示する動作のうち、コンテンツ情報サーバ４から都度ＣＭのコンテンツ情報を取得する場合の動作について、図９を参照して説明する。
【００５５】
端末１とコンテンツ再生機２が無線接続を行っており（ステップＳ５０１）、コンテンツ再生機２はコンテンツを表示している（ステップＳ５０２）。端末１は当該コンテンツ情報をコンテンツ情報サーバ４から取得して表示している（ステップＳ５０３）。コンテンツ再生機２がＣＭを検出すると（ステップＳ５０５で「Ｙｅｓ」）、コンテンツ再生機２はＣＭ音声の特徴量を端末１に送信する（ステップＳ５０７）。端末１のコンテンツ識別子取得部１０１は、送信されたＣＭ音声の特徴量から、ＣＭデータベース２２を参照して対応するＣＭのコンテンツ識別子を決定する（ステップＳ５０９）。
【００５６】
次に端末１のコンテンツ情報取得部１０２は、コンテンツ情報サーバ４に、ステップＳ５０９で決定したコンテンツ識別子に対応するコンテンツ情報を要求する（ステップＳ５１１）。コンテンツ情報サーバ４は、当該コンテンツ情報を端末１に送信する（ステップＳ５１３）。コンテンツ情報取得部１０２は送信されたコンテンツ情報を取得する。
【００５７】
なお、端末１がコンテンツ再生機２から通知されたＣＭ音声の特徴量をコンテンツ情報サーバ４にそのまま送信し、コンテンツ情報サーバ４が、コンテンツ情報サーバ４内のＣＭデータベースで対応するＣＭのコンテンツ識別子およびＣＭのコンテンツ情報を決定してもよい。
【００５８】
次に端末１の表示部１２は、コンテンツ情報取得部１０２で取得したコンテンツ情報を表示する（ステップＳ５１５）。なお、ＣＭのコンテンツ情報の表示に関しての詳細は後述する。
【００５９】
＜ＵＲＬまたは検索キーワードの検出＞
コンテンツ再生機２がＣＭコンテンツに表示されるＵＲＬまたは検索キーワードを検出する場合の動作について、図１０を参照して説明する。
【００６０】
端末１とコンテンツ再生機２が無線接続を行っており（ステップＳ８０１）、コンテンツ再生機２はコンテンツを表示している（ステップＳ８０２）。端末１は当該コンテンツ情報をコンテンツ情報サーバ４から取得して表示している（ステップＳ８０３）。
【００６１】
次に、コンテンツ再生機２がＣＭを検出すると（ステップＳ８０５で「Ｙｅｓ」）、コンテンツ再生機２の画像認識部２０３は、ＣＭの画像を認識処理し、テキストデータを判別する（ステップＳ８０７）。次にＵＲＬ／検索キーワード取得部２０４は、ステップＳ８０７で認識処理して判別したテキストデータのうち、ＵＲＬ表示または検索キーワードを取得する（ステップＳ８０９）。ここで、検索キーワードを特定するために、例えば画像認識部２０３は、検索ボックスと「検索」ボタンの表示を認識し、ＵＲＬ／検索キーワード取得部２０４は、検索ボックス内に表示されているテキストを検索キーワードとして取得する。また、１つのＣＭの画像全部を認識処理しようとすると膨大な時間がかかるため、画像認識部２０３は、例えば１５秒間のＣＭであれば１４秒目からCM終了までのＩフレームについて画像認識処理を行う。
【００６２】
次にコンテンツ再生機２は、ステップＳ８０９でＵＲＬ／検索キーワード取得部２０４が取得したＵＲＬまたは検索キーワードを端末１に送信する（ステップＳ８１１）。端末１の制御部１０は、ステップＳ８１１で送信された当該ＵＲＬに対応したＷｅｂページ、または当該検索キーワードを用いて検索サイトで検索した結果を示すＷｅｂページを表示部１２に表示する（ステップＳ８１３）。
【００６３】
なお、コンテンツ情報サーバ４は、コンテンツ情報を複数の端末に送信してもよい。
【００６４】
＜コンテンツ情報の表示の応用例＞
図４〜図９における端末１の「コンテンツ情報表示」（ステップＳ１１３、Ｓ２１３、Ｓ３１３、Ｓ７１３）、「ＣＭコンテンツ情報表示」（ステップＳ４１３、Ｓ５１５）についてであるが、ユーザ情報データベース２１に格納されるユーザの利用履歴、位置情報取得部１０３で取得した位置情報、または時計部１８で計時する時刻に基づいて、コンテンツ情報選択部１０４でコンテンツ情報を選択して表示部１２に表示してもよい。
またユーザ情報データベース２１に格納されるユーザの利用履歴、位置情報取得部１０３で取得した位置情報、または時計部１８で計時する時刻に基づいて、コンテンツ情報選択部１０４で取得したコンテンツ情報の一部をユーザ向けに修正・追加しても良い。
【００６５】
例えば図４の場合、ステップＳ１１１でコンテンツ情報サーバ４から端末１にコンテンツ情報が送信されたときに、端末１の位置情報取得部１０３が端末１の現在の位置情報を取得し、コンテンツ情報選択部１０４は、位置情報取得部１０３が取得した現在の位置情報に近い場所に関連するコンテンツ情報を選択し、表示部１２に表示してもよい。具体的には、現在の位置情報が自宅の場合に、自宅近くのレストランについてのコンテンツ情報が端末１に送信されていれば、コンテンツ情報選択部１０４はこのコンテンツ情報を選択し、表示部１２に表示する。
また、図４の場合、ステップＳ１１１でコンテンツ情報サーバ４から端末１にコンテンツ情報が送信されたときに、端末１の位置情報取得部１０３が端末１の現在の位置情報を取得し、コンテンツ情報選択部１０４は、位置情報取得部１０３が取得した現在の位置情報に応じて取得したコンテンツ情報の一部を修正し、表示部１２に表示してもよい。具体的には、現在の位置情報が東京都の場合に、コンテンツ情報選択部１０４はコンテンツ情報の中で天気予報に関する情報について、全国の天気予報情報の中から東京都に関連するもののみを選択して、表示部１２に表示する。コンテンツ情報のうち位置情報取得部１０３が取得した位置情報に応じて修正可能な部分はコンテンツ情報の中で指定してもよいし、コンテンツ情報選択部１０４が送信されたコンテンツ情報を解析し、位置情報取得部１０３で取得した位置情報を参照して修正可能な部分を選択しても良い。また送信されたコンテンツ情報に現在の位置情報を反映した情報を追加しても良い。例えば現在の位置情報が東京都の場合にインターネット上から東京都の天気情報を取得し、コンテンツ情報に追加し表示部１２に表示する。
【００６６】
また、ステップＳ１１１でコンテンツ情報サーバ４から端末１にコンテンツ情報が送信されたとき、コンテンツ情報選択部１０４は、時刻に関する情報を含むコンテンツ情報から、時計部１８で計時している時刻に基づいたコンテンツ情報を選択し、表示部１２に表示してもよい。例えば、コンテンツ情報としてランチ情報や終電情報を有している場合、現在の時刻が正午であれば、ランチ情報を表示部１２に表示する。
また、ステップＳ１１１でコンテンツ情報サーバ４から端末１にコンテンツ情報が送信されたとき、コンテンツ情報選択部１０４は、時刻に関する情報を含むコンテンツ情報から、時計部１８で計時している時刻に基づいてコンテンツ情報を修正し、表示部１２に表示してもよい。例えば、コンテンツ情報として鉄道の運行情報を有している場合、現在の時刻が正午であれば、正午以降の運行情報を表示部１２に表示する。コンテンツ情報のうち時計部１８が取得した時刻に応じて修正可能な部分はコンテンツ情報の中で指定してもよいし、コンテンツ情報選択部１０４が送信されたコンテンツ情報を解析し、時計部１８から取得した時刻を参照して修正可能な部分を選択しても良い。また送信されたコンテンツ情報に時計部１８から取得した時刻を反映した情報を追加しても良い。例えば現在の時刻が正午であれば、正午以降の運行情報をインターネット上から取得し、コンテンツ情報に追加し表示部１２に表示する。
【００６７】
さらに、ステップＳ１１１でコンテンツ情報サーバ４から端末１にコンテンツ情報が送信されたとき、コンテンツ情報選択部１０４はユーザ情報データベース２１を参照し、ユーザ情報データベース２１内の利用履歴に基づいたコンテンツ情報を選択してもよい。例えば閲覧頻度の高いＷｅｂページに関連したコンテンツ情報を選択し、表示部１２に表示してもよいし、購入した商品に関連したコンテンツ情報を選択し、表示部１２に表示してもよいし、性別や年齢によりコンテンツ情報を選択し、表示部１２に表示してもよい。
さらに、ステップＳ１１１でコンテンツ情報サーバ４から端末１にコンテンツ情報が送信されたとき、コンテンツ情報選択部１０４はユーザ情報データベース２１を参照し、ユーザ情報データベース２１内の利用履歴に基づいたコンテンツ情報を修正してもよい。例えば閲覧頻度の高いＷｅｂページのジャンルにより、当該ジャンル以外の情報をコンテンツ情報から削除して表示部１２に表示してもよいし、ユーザが女性の場合は男性向けのコンテンツ情報を削除し、表示部１２に表示してもよい。さらに、ステップＳ１１１でコンテンツ情報サーバ４から端末１にコンテンツ情報が送信されたとき、コンテンツ情報選択部１０４はユーザ情報データベース２１を参照し、ユーザ情報データベース２１内の利用履歴に基づいたコンテンツ情報を追加してもよい。例えば閲覧頻度の高いＷｅｂページがニュースの場合、最新のニュースをインターネットから取得し、コンテンツ情報に追加してもよい。
【００６８】
なお、端末１の表示部１２にコンテンツ情報サーバ４から送信された複数のコンテンツ情報の一覧を表示し、ユーザの操作により、一覧から表示部１２に表示するコンテンツ情報を選択するようにしてもよい。
【００６９】
なおユーザ情報データベース２１に格納されるユーザの利用履歴、位置情報取得部１０３で取得した位置情報、または時計部１８で計時する時刻を複数組み合わせて、取得する情報の選択、修正、追加を行っても良い。
【００７０】
なお、コンテンツ情報はコンテンツ情報サーバ４から取得するだけでなく、端末１側で生成しても良い。コンテンツ情報の生成の方法として、コンテンツ識別子からコンテンツを特定し、インターネット検索や地上波デジタルテレビ放送の場合はEPG（Electronic Program Guide：電子番組表）の情報を利用して、コンテンツのタイトル、出演者やジャンル等の情報を取得し、これらの情報からコンテンツ情報を生成する。またユーザ情報データベース２１に格納されるユーザの利用履歴、位置情報取得部１０３で取得した位置情報、または時計部１８で計時する時刻を反映したコンテンツ情報を生成しても良い。
【００７１】
また、図７でコンテンツ情報サーバ４から送信されたコンテンツ情報をコンテンツ情報記憶部２３に格納しているが、他の動作例の場合においても、コンテンツ情報をコンテンツ情報記憶部２３に保存してもよい。その際も同様に、コンテンツ情報選択部１０４がユーザ情報データベース２１を参照して、ユーザ情報データベース２１内の利用履歴に基づいたコンテンツ情報のみを選択して保存してもよいし、ユーザの操作によりコンテンツ情報を選択して保存してもよい。コンテンツ情報の保存は、例えば番組終了時、ＣＭの検出が通知された時、またはコンテンツ再生機２の電源が切断された時等のタイミングで行われてもよい。
【００７２】
コンテンツ情報をコンテンツ情報記憶部２３に保存した場合、以下に述べる例も可能である。ユーザが端末１を持ってある場所に行った時に、位置情報取得部１０３がその場所の位置情報を取得し、コンテンツ情報選択部１０４は、位置情報取得部１０３が取得した位置情報に近い場所に関するコンテンツ情報をコンテンツ情報記憶部２３より選択し、表示部１２に表示してもよい。
【００７３】
また、ユーザが店頭である商品を購入する際に、ユーザの操作によりコンテンツ情報選択部１０４がコンテンツ情報記憶部２３よりその商品に関するコンテンツ情報（例えば、割引や特典の情報）を選択して表示部１２に表示してもよい。ユーザはその商品を購入時に店員に端末１の表示を提示して、特典を受けることが出来るようにしてもよい。
【００７４】
また、ユーザがあるＷｅｂページを端末１で閲覧する際に、コンテンツ情報選択部１０４がコンテンツ情報記憶部２３よりそのＷｅｂページに関するコンテンツ情報を選択し、表示部１２に表示してもよい。
【００７５】
なお、上記構成ではユーザ情報データベース２１が端末１内に含まれるが、外部のデータベースとして、外部ネットワークＮに接続されていてもよい。その場合、ユーザ情報データベースは、端末１のみならず他の端末の情報（個人情報、利用履歴情報等）も、端末毎に格納する。
【００７６】
また、上記構成では端末１のユーザ情報データベース２１に視聴履歴情報を格納しているが、外部の視聴履歴サーバ６として外部ネットワークＮに接続されていてもよい。図１１にこの場合におけるネットワークシステム１００の構成図を示す。この場合、コンテンツ再生機２は外部ネットワークＮと接続可能であり、番組等のコンテンツの視聴履歴を視聴履歴サーバ６に送信する。視聴履歴サーバ６は、コンテンツ再生機２のみならず、他の複数のコンテンツ再生機の視聴履歴もそれぞれ格納する。
【００７７】
また、上記構成では端末１とコンテンツ再生機２が無線通信接続されているが、有線で通信接続されていてもよい。
【００７８】
以上説明した実施例によれば、端末が、コンテンツ再生機で表示するコンテンツに対応したコンテンツ識別子を受信し、コンテンツ識別子に対応するコンテンツ情報をコンテンツ情報サーバから取得し、ユーザの行動履歴に基づいて取得したコンテンツ情報を選択して表示する。よって、ユーザの行動履歴に応じてコンテンツ情報を選択して表示することができるため、ユーザにとって適切なコンテンツ情報を提供することができる。また、コンテンツ情報を端末で格納することができるので、番組のコンテンツ情報を番組視聴時以外に参照することが出来る。
【００７９】
以上、本発明の実施形態について図面を参照して詳述してきたが、具体的な構成はこの実施形態に限られるものではなく、本発明の要旨を逸脱しない範囲の設計変更等も含まれる。
【００８０】
例えば、端末１とコンテンツ再生機２は同一の装置であってもよい。また、上記実施形態における端末の代わりに、携帯電話機、又はＰＤＡ（Personal Digital Assistance）等に本発明を適用してもよい。
【符号の説明】
【００８１】
１００…ネットワークシステム、１…端末、２…コンテンツ再生機、３…ルータ、４…コンテンツ情報サーバ、６…視聴履歴サーバ、Ｎ…外部ネットワーク、１０、２１０…制御部、１２、２１２…表示部、１３、２１３…操作部、１４、２１４…音声制御部、１５、２１５…無線通信部、１６、２１６…記憶部、１７、２１７…情報記憶媒体、１８…時計部、２１…ユーザ情報データベース、２２…ＣＭデータベース、２３…コンテンツ情報記憶部、２１９…テレビ受信部、２２１…端末データベース、１０１…コンテンツ識別子取得部、１０２…コンテンツ情報取得部、１０３…位置情報取得部、１０４…コンテンツ情報選択部、１５１…無線ＬＡＮ通信部、１５２…ＧＰＳ通信部、２０１…顔認識部、２０２…端末特定部、２０３…画像認識部、２０４…ＵＲＬ／検索キーワード取得部。
【図１】
2012015980.tif 000003
【図２】
2012015980.tif 000004
【図３】
2012015980.tif 000005
【図４】
2012015980.tif 000006
【図５】
2012015980.tif 000007
【図６】
2012015980.tif 000008
【図７】
2012015980.tif 000009
【図８】
2012015980.tif 000010
【図９】
2012015980.tif 000011
【図１０】
2012015980.tif 000012
【図１１】
2012015980.tif 000013